(57)【特許請求の範囲】
【請求項１】
照明装置等を天井等の異なる厚さの被装着部に装着するのに使用する装着部材であって、
前記異なる厚さの被装着部に対応して夫々設定され、連設された複数の押圧部を備え、該複数の押圧部の連結部は、前記複数の押圧部の端部を結んで形成される直線より前記押圧部側にあることを特徴とする装着部材。
【請求項２】
前記装着部材は板ばねであることを特徴とする請求項１に記載の装着部材。
【請求項３】
請求項１または２に記載の装着部材を備えることを特徴とする照明装置。
【請求項４】
前記装着部材は、前記照明装置の放熱部に流入する空気の流れを阻害しない位置に配設されてなることを特徴とする請求項３に記載の照明装置。
【請求項５】
前記装着部材及び、前記被装着部と前記照明装置の当接部により挟持されて被装着部に装着されることを特徴とする請求項３または請求項４に記載の照明装置。
【請求項６】
天井に開口された取付孔に設置されるべき照明装置本体と、Ｖ字状をなし、屈曲部の側を下側にして前記照明装置本体及び取付孔間に介装されるべき板ばねとを備え、該板ばねの弾性変形に応じて生じる付勢力により前記照明装置本体を前記天井に固定するようにしてある照明装置において、前記板ばねは、一側に複数の押圧部を有する請求項２に記載の板ばねであり、他側にて前記照明装置本体に取付けてあり、前記照明装置本体を前記取付孔に設置したときに、複数の前記押圧部の何れか一つが前記取付孔の上縁部に上側から当接するようにしてあることを特徴とする照明装置。
【請求項７】
請求項３から請求項６の何れか一つに記載の照明装置において、光源としてのＬＥＤを有することを特徴とする照明装置。
【発明の詳細な説明】
【技術分野】
【０００１】
本発明は、天井に開口された取付孔に設置される機器本体を天井に装着する装着部材及び該装着部材を備える照明装置に関する。
【背景技術】
【０００２】
天井に開口された取付孔に設置される照明装置、所謂ダウンライトは、天井の取付孔に下側から挿入され、照明装置本体に設けられた固定具により天井に固定される。この照明装置においては、一般に、固定具としてＶ字状をなす板ばねを用い、該板ばねの弾性変形に応じて生じる付勢力により天井を押し付けることにより、天井に固定されるように構成してある（例えば、特許文献１参照）。
【０００３】
特許文献１に開示された照明装置は、天井に設けられた取付孔に設置される略円筒状又は筐状を有する外枠と、該外枠に設けた掛止具にて外枠の内側に掛止される照明装置本体とを備え、前記外枠の外周壁に設けた固定具と、外枠の下端に設けられた鍔部とにより天井の上下面を挟持することにより照明装置本体を固定するように構成してある。固定具は、Ｖ字状をなす板ばねであり、外枠に取付けられる取付部を一側に、該一側に向けて凸状に湾曲している円弧状の押圧部を他側に有している。天井に設けた取付孔に外枠を挿入したとき、固定具の弾性変形に応じて生じる付勢力により固定具の押圧部が取付孔の上縁部に斜め上側から押し付けられて天井に下方向の力が作用し、この反作用により外枠が固定具から上方向の力を受け、鍔部の上面が天井の下面に圧着することになり、この結果、照明装置が天井に固定される。
【特許文献１】特開２００７−１２８７８９号公報
【発明の開示】
【発明が解決しようとする課題】
【０００４】
ところで、一般に、天井に設けられた取付孔の直径は５０〜３００ｍｍの範囲にあり、天井の板厚は５〜２５ｍｍの範囲にある。照明装置の外形寸法は、板ばね等の装着部材を設置可能なように、照明装置本体の外周壁と取付孔の周面とが適長離隔するように取付孔の直径に応じて決定してある。
【０００５】
特許文献１の如く、円弧状の押圧部を一つのみ有する板ばねを備える照明装置においては、ある板厚の天井に対しては、適切な押圧力を天井に作用させて照明装置を固定することが可能であるが、その板厚よりも大きな板厚の天井に照明装置を設置する場合には、天井の上面に対する押圧部のなす角度が大きくなり、下方向の押圧力が不足してしまい、照明装置を十分に保持することができないという虞があった。そして照明装置に下方向の力が作用したのち該力が解除されたとき、照明装置が元の位置に復帰できないという虞があった。この対策として、天井の板厚に応じて形状の異なる板ばねを用いるということも考えられるが、照明装置の設置の作業性、板ばねの生産効率等の観点から好ましくない。
【０００６】
本発明は斯かる事情に鑑みてなされたものであり、板厚の異なる天井に対して十分な押圧力を生ぜしめる装着部材及び該装着部材を備える照明装置を提供することを目的とする。
【課題を解決するための手段】
【０００７】
本発明の装着部材は、照明装置等を天井等の異なる厚さの被装着部に装着するのに使用する装着部材であって、前記異なる厚さの被装着部に対応して夫々設定され、連設された複数の押圧部を備え、該複数の押圧部の連結部は、前記複数の押圧部の端部を結んで形成される直線より前記押圧部側にあることを特徴とする。
【０００８】
本発明にあっては、照明装置等を天井等の被装着部に装着する場合において、板厚の異なる被装着部に対応して夫々設定され、連設された複数の押圧部の連結部が前記複数の押圧部の端部を結んで形成される直線より前記押圧部側にある。装着部材が複数の押圧部を備えた場合であっても、押圧部の連結部が被装着部に接触することがないので、接触によって押圧力が小さくなることを防止することができ、板厚の異なる被装着部に対して十分な押圧力を生ぜしめることができ、十分な保持力にて照明装置等を天井等の被装着部に装着することができる。
【００１９】
本発明の装着部材は、さらに、前記装着部材は板ばねであることを特徴とする。
【００２０】
本発明にあっては、板厚の異なる天井等の被装着部に対して十分な押圧力を生ぜしめることができ、十分な保持力にて照明装置等を天井等の被装着部に装着することができる板ばねを形成することができる。
【００２３】
本発明の照明装置は、前述の発明に記載の装着部材を備えることを特徴とする。
【００２４】
本発明にあっては、板厚の異なる天井等の被装着部に対して十分な押圧力を生ぜしめて、十分な保持力にて装着できる照明装置を形成することができる。
【００２５】
本発明の照明装置は、前記装着部材は、前記照明装置の放熱部に流入する空気の流れを阻害しない位置に配設されてなることを特徴とする。
【００２６】
本発明にあっては、照明装置の放熱部の放熱効率を下げることなく、装着部材を照明装置に取付けることができる。
【００２７】
本発明の照明装置は、前記装着部材及び、前記被装着部と前記照明装置の当接部により挟持されて被装着部に装着されることを特徴とする。
【００２８】
本発明にあっては、安定して照明装置を天井等の被装着部に装着することができる。
【００２９】
本発明に係る照明装置は、天井に開口された取付孔に設置されるべき照明装置本体と、Ｖ字状をなし、屈曲部の側を下側にして前記照明装置本体及び取付孔間に介装されるべき板ばねとを備え、該板ばねの弾性変形に応じて生じる付勢力により前記照明装置本体を前記天井に固定するようにしてある照明装置において、前記板ばねは、一側に複数の押圧部を有する前述の発明に記載の板ばねであり、他側にて前記照明装置本体に取付けてあり、前記照明装置本体を前記取付孔に設置したときに、複数の前記押圧部の何れか一つが前記取付孔の上縁部に上側から当接するようにしてあることを特徴とする。
本発明に係る照明装置は、前述の発明に記載の照明装置において、光源としてのＬＥＤを有することを特徴とする。
【００３０】
本発明にあっては、照明装置本体を天井の取付孔に設置したときに、照明装置本体に取付けられた前記板ばねの複数の円弧部の何れか一つが前記取付孔の上縁部に上側から当接するから、板厚の異なる天井に対して十分な下方向の押圧力を生ぜしめることができ、十分な保持力にて照明装置を天井に固定することができる。
【発明の効果】
【００３１】
本発明によれば、複数の押圧部を有する装着部材により異なる板厚の天井に対して十分な下方向の押圧力を生ぜしめることができ、十分な保持力にて照明装置を天井に固定することができる。
【発明を実施するための最良の形態】
【００３２】
以下、本発明をその実施の形態を示す図面に基づいて詳述する。また、実施の形態の説明において、装着部材として板ばねを例示し、板ばねにより被装着部である天井に装着される対象を照明装置として説明する。なお、照明装置は所謂ダウンライトである。また、以下の説明において、下方向とは被装着部である天井の設置面に垂直な方向である鉛直下方向を示す。
【００３３】
（実施の形態１）
図１は、本発明の実施の形態１に係る板ばねの外観斜視図である。図２は、板ばねの模式的正面図であり、図３は、図２の III−III 矢視から見た板ばねの模式的側面図である。
【００３４】
板ばね１は、ステンレス鋼等の金属製であり、細長い矩形板を屈曲させて、図２に示すようにＶ字状に形成してある。板ばね１の一端には、矩形板状の取付部１１が設けてあり、該取付部１１の中央には、貫通孔１１ａが形成してある。
【００３５】
取付部１１には、該取付部１１に角度をなして延設され、延設端部から取付部に平行をなして該取付部に離隔する方向に延設されてなる延設部１２が設けてあり、該延設部１２には、小さい曲率半径にて略１８０°に亘って湾曲してなる屈曲部１３が連設してある。
【００３６】
屈曲部１３を挟んだ板ばね１の他側には、取付部１１の側に凸状に湾曲し、板ばね１の長手方向に沿う断面形状が円弧状である第１の押圧部１４が設けてある。第１の押圧部１４には、該第１の押圧部１４と逆側に湾曲している凸部１５が連設してあり、凸部１５には、第１の押圧部１４と同じ側に凸状に湾曲し、板ばね１の長手方向に沿う断面形状が円弧状である第２の押圧部１６が連設してある。
【００３７】
また、第１の押圧部１４及び第２の押圧部１６がともに円弧状に形成されていることによって、天井等の被装着部の設置面に照明装置を取付けた場合に、第１の押圧部１４と第２の押圧部１６の何れかが取付孔の面に押圧するのみでなく、設置面に垂直な方向からも押圧することが可能となる。この点については、後述する天井に照明装置を設置した実施の形態の説明において詳述する。
【００３８】
第１の押圧部１４と第２の押圧部１６の湾曲の曲率半径は異なっており、第２の押圧部１６の曲率半径Ｒ２は第１の押圧部１４の曲率半径Ｒ１よりも大（Ｒ１＜Ｒ２）である。本実施の形態においては、後述する照明装置が設置される天井の板厚範囲として６〜９ｍｍ及び２０〜２５ｍｍを想定して、第１の押圧部１４の曲率半径Ｒ１を６ｍｍに、第２の押圧部１６の曲率半径Ｒ２を２３ｍｍに夫々してある。これら第１の押圧部１４及び第２の押圧部１６の曲率半径Ｒ１及びＲ２は、照明装置が天井に設置されたときに、第１の押圧部１４と第２の押圧部１６のどちらか一方のみが天井に上側から当接するように、天井の板厚に応じて決定してある。
【００３９】
また、屈曲部１３から遠い側にある第２の押圧部１６の方が、屈曲部１３に近い側にある第１の押圧部１４よりも曲率半径が大きい（Ｒ１＜Ｒ２）ので、広範な板厚の天井に対応することができる。つまり、屈曲部に近い側の押圧部の方が、曲率半径が大きければ、厚い板厚（例えば２０〜２５ｍｍ）とさらに厚い板厚の天井に対応することはできるが、薄い板厚（例えば６〜９ｍｍ）の天井に対応することができない。従って、押圧部の曲率半径の大きさを、屈曲部１３に近い側から段階的に大きくすることにより、広範な板厚の天井に対応することができる。
【００４０】
なお、必ずしも第１の押圧部１４と第２の押圧部１６の曲率半径が異なる必要はない。複数の円弧状の押圧部があることにより、異なる板厚の被装着部に対応して照明装置を装着することができる。
【００４１】
さらに、第１の押圧部１４と第２の押圧部１６の連結部である凸部１５は、第１の押圧部１４と第２の押圧部１６の端部を結んで形成される直線Ｌ１（図２中に破線にて示す）よりも第１の押圧部１４及び第２の押圧部１６の側になるように設計されていることが好ましい。厚い板厚（例えば２０〜２５ｍｍ）の天井に対応して第２の押圧部１６が押圧して照明装置を取付けた場合であっても、凸部１５が天井の取付孔の面に接触しないので、接触によって押圧力が小さくなることを防止することができる。
【００４２】
第２の押圧部１６には、矩形板状の腕部１７が連設してあり、腕部１７の端部には、該端部から腕部１７に角度をなして取付部１１の逆側に折り曲げられてなる抜止部１８が設けてある。
【００４３】
図４は、実施の形態１に係る板ばね１を備える照明装置１０の外観斜視図である。図５は、照明装置１０を側面から見た外観図である。図６は、照明装置１０の模式的側面図であり、一部を部分断面にて示している。図７は、図６の VII−VII 矢視から見た照明装置１０の模式図である。なお、図７においては、説明の便宜上、いくつかの部品の表示を省略している。
【００４４】
図において１０ａは、照明装置本体である。照明装置本体１０ａは、アルミニウム等の金属製の放熱器２を備えている。放熱器２は、略円板状の伝熱板２１を有しており、伝熱板の一面２１ａには、矩形板状の複数（図において１０個）の放熱板２２，２２…が平行をなして立設してあり、これら複数の放熱板２２，２２…の略中央を通り、該複数の放熱板２２，２２…に直交するように連結板２３が立設してある。なお、連結板２３は、図７に示す如く、伝熱板２１の中央部を避けるように形成してあり、伝熱板２１の中央部には配線用の貫通孔２１ｃが設けてある。後述するＬＥＤモジュールを伝熱板２１の周方向に複数配設する照明装置においては、伝熱板２１の中央部に配線用の貫通孔２１ｃを設けることにより、ＬＥＤモジュールへの配線が容易となる。
【００４５】
伝熱板２１の中央部及び周縁部には、複数のネジ穴２１ｄ，２１ｄ…が設けてある。また、放熱器２の伝熱板２１の周縁部には、矩形板状の取付部２４，２４…が伝熱板２１の径方向に直交するように、周方向に３等配をなして立設してある。取付部２４，２４…は、複数の放熱板２２，２２…に夫々連設されて一体的に構成されており、一つの取付部２４が放熱板２２，２２…に直角をなして連設されるように配してある。取付部２４，２４…の外面２４ａ，２４ａ…は平面に形成してあり、取付部２４には、ネジ穴２４ｂ，２４ｃが上下に並設してある。なお、本実施の形態において、放熱器２は、ダイキャストにより一体成形してあるが、これに限定されず、押出加工又は切削加工により形成してもよい。
【００４６】
放熱器２の伝熱板２１の他面２１ｂには、光源としての複数（図において６つ）のＬＥＤモジュール３，３…が周方向に等配をなして取付けてある。ＬＥＤモジュール３，３…は、矩形のセラミック（例えば、酸化アルミニウム）基板と、該セラミック基板の一面の中央部に密集して実装された複数（例えば、３６個）のＬＥＤ素子と、該複数のＬＥＤ素子を封止し、蛍光体が分散された封止樹脂と、入力端子及び出力端子とを備えてなる。なお、ＬＥＤモジュール３，３…と伝熱板２１との間には、熱伝導シート又はグリースを介装する方が望ましい。これらＬＥＤモジュール３，３…の点灯に伴い該ＬＥＤモジュール３，３…にて発生する熱は、放熱器２の伝熱板２１、放熱板２２，２２…及び連結板２３に伝達され、自然対流により外部へ放散されることになる。
【００４７】
放熱器２の伝熱板２１の他面２１ｂの側には、反射板４が設けてある。反射板４には、該反射板４を放熱器２に取付けたときにＬＥＤモジュール３，３…に対応する位置に、ＬＥＤモジュール３，３…を取り囲むように、略半球状の凹部を有する複数の反射部４１，４１…が形成してある。反射板４は、ステンレス等の金属、反射率の高い塗料を塗布された金属又は高全反射率（約９８％）及び高拡散反射率（約９５％）という光学特性を有する超微細発泡光反射材（例えば、ＭＣＰＥＴ（登録商標））により形成されている。
【００４８】
反射板４には、反射板４を放熱器２に取付けたときに伝熱板２１に設けられたネジ穴２１ｄ，２１ｄ…に対応する位置に、略円柱状の凹部を有する固定部４２，４２…が設けてある。また、反射板４の周縁には、周壁４３が立設してあり、反射板４は周壁４３の端面を伝熱板２１に当接させて、ネジ４５，４５…を反射板４の固定部４２，４２…に設けられた貫通孔に挿通させ、伝熱板２１に設けられたネジ穴２１ｄ，２１ｄ…に螺合させることにより放熱器２に固定してある。ＬＥＤモジュール３，３…からの光は、この反射板４の反射部４１，４１…にて反射されて、ＬＥＤモジュール３，３…の光軸となす角度が所定角度以下になる範囲に含まれることになり、照明機器の直下照度が強くなるように配光特性が制御された光が照明装置から出射されることになる。
【００４９】
放熱器２の伝熱板２１の側には、フレーム５が設けてある。フレーム５は、円筒５１と、円筒５１の一端から直交する方向に径方向に延設された環状の鍔部５２とを有してなる。円筒５１には、周方向の３カ所から鍔部５２の逆側に延設された延設部５１ａ，５１ａ…があり、該延設部５１ａ，５１ａ…には、貫通孔５１ｂ，５１ｂ…が設けてある。なお、貫通孔５１ｂ，５１ｂ…は、フレーム５を放熱器２に取付けたときに放熱器２の取付部２４，２４…に設けられたネジ穴２４ｃ，２４ｃ…に対応する位置に夫々設けてある。このフレーム５は、円筒５１の他端の側に反射板４を内嵌させて、延設部５１ａ，５１ａ…を放熱器２の取付部２４，２４…の外面２４ａ，２４ａ…に当接させた状態にて、ネジ５３，５３…を貫通孔５１ｂ，５１ｂ…に挿通させ、ネジ穴２４ｃ，２４ｃ…に螺合させることにより放熱器２に固定してある。フレーム５の鍔部５２の内面には、ＬＥＤモジュール３，３…を覆うように、円板状の樹脂製のカバー６が取付けてある。カバー６は、例えば、ポリカーボネート樹脂製である。
【００５０】
以上のように構成された照明装置本体１０ａには、実施の形態１に係る複数の板ばね１，１…が、ネジ２５，２５…を板ばね１，１…の取付部１１，１１…に設けられた貫通孔１１ａ，１１ａ…に挿通させ、放熱器２の取付部２４，２４…に設けられたネジ穴２４ｂ，２４ｂ…に螺合させることにより、取付部２４，２４…の外面２４ａ，２４ａ…に板ばね１，１…の取付部１１，１１…を密着させた状態にて、周方向に３等配をなして放熱器２に固定してある。取付部２４，２４…は、前述した如く、複数の放熱板２２，２２…に夫々連設されて一体的に構成されており、高剛性であるから、照明装置本体１０ａの自重により生じる負荷は、取付部２４，２４…を介して板ばね１，１…にそのまま作用することになる。また、金属性の板ばね１を放熱器２に直接取付けているので、板ばね１自体が放熱部材としても機能するので、放熱をより効果的に行うことができる。
【００５１】
なお、本実施の形態において、板ばね１，１…は、弾性変形に伴い生じる３つの板ばね１，１…の付勢力の合力が、照明装置本体１０ａの自重の６倍の荷重以上になるように、肉厚及び形状が決定してある。また本実施の形態において、板ばね１には、この荷重条件を満足すると共に、放熱器２の材料であるアルミニウムとの異種金属接触腐食を回避すべく、ステンレス鋼（例えば、ＳＵＳ３０４）を用いている。なお、抜止部１８は、板ばね１の第１の押圧部１４及び第２の押圧部１６が天井に当接しない状態において、照明装置１０の落下を防止するために設けてある。
【００５２】
放熱器２の外側から二枚目の放熱板２２，２２には、取付板７１，７１が夫々放熱板２２，２２と平行をなしてネジ７２，７２…により固定してある。取付板７１，７１の一側には、これら取付板７１，７１を連結する支持板７３が取付けてある。また、取付板７１，７１の上部には、斜め下方に傾けた状態にて円板７４が取付けてある。この円板７４により、照明装置本体１０ａ、特に放熱板２２，２２…の間に埃等の異物が入り込まないようにすることができると共に、断熱材により照明装置本体１０ａの上部を覆った場合に、放熱器２の放熱板２２，２２…及び連結板２３の表面から熱伝達により暖められた空気が外部に流出する通風路を確保することができる。よって、埃等の異物が入り込むことによる放熱性の低下を防ぐことができる。また、支持板７３には、トランス、抵抗、コンデンサ等の各種回路部品を備えてなる電源部（図示せず）が設けてある。なお、ＬＥＤモジュール３，３…は、伝熱板２１の中央部に設けられた貫通孔２１ｃを挿通させたリード線（図示せず）を介して電源部に接続してある。
【００５３】
この照明装置１０は、カバー６の側を下側にして、天井に設けられた取付孔に板ばね１，１…を介して固定され、所謂ダウンライトとして用いられる。照明装置１０は、直径が１２５ｍｍである天井の取付孔に、照明装置本体１０ａと取付孔の周面との間隔が略１０ｍｍになるように天井に設置されている。図８は、９ｍｍの板厚の天井に照明装置１０を設置した状態を示す部分拡大断面図である。
【００５４】
照明装置１０は、板ばね１，１…の腕部１７の側を照明装置本体１０ａの側に押し付けた状態にて、天井１００に設けられた取付孔１００ａに下側から挿入し、板ばね１，１…から手を離し照明装置本体１０ａをさらに押し込むことにより、図８に示す如く、天井１００の取付孔１００ａに固定される。より詳しくは、取付孔１００ａへの設置時に照明装置本体１０ａの側に押し付けられ、弾性変形した板ばね１が、押付力の解除に伴い図６に示す自然状態に復帰しようとしたときに、板ばね１の第１の押圧部１４が円弧の略中央近傍にて取付孔１００ａの上縁部に斜め上側から当接し、このとき、当接面において天井１００には、図８中に矢符にて示す如く、当接面に直交する方向、図において斜め下方向の力が作用し、第１の押圧部１４には、作用反作用の関係により作用力の反力、図において斜め上方向の力が作用する。これにより、被装着部である天井１００の設置面に対して垂直方向である下方向の分力が作用し、天井１００の上面１００ｂが第１の押圧部１４により下方向に押圧されると共に、照明装置本体１０ａに上方向の分力が作用し、天井１００の下面１００ｃがフレーム５の鍔部５２の上面により上方向に押圧されることになる。この結果、照明装置１０は天井１００を第１の押圧部１４及び、天井１００との当接部となる鍔部５２により挟持した状態にて天井１００に固定されることになる。
【００５５】
このように、天井１００に十分な下方向の分力を含む押圧力が作用するから、照明装置１０を天井１００に保持することができる。そして照明装置１０に下方向の力が作用したのち該力が解除されたとき、板ばね１の弾性変形に応じて生じる付勢力により下方向の分力を含む押圧力が天井１００の上面１００ｂに作用するから、照明装置１０は元の位置に復帰することができる。
【００５６】
図９は、１２ｍｍ板厚の天井に照明装置１０を設置した状態を示す部分拡大断面図である。照明装置１０は、板ばね１，１…の腕部１７の側を照明装置本体１０ａの側に押し付けた状態にて、天井１０１に設けられた取付孔１０１ａに下側から挿入し、板ばね１，１…から手を離し照明装置本体１０ａをさらに押し込むことにより、図９に示す如く、取付孔１０１ａにて天井１０１に固定される。図９においては、板ばね１の第１の押圧部１４が第１の押圧部１４の円弧の中央よりも凸部１５寄りの位置にて取付孔１０１ａの上縁部に斜め上側から当接しており、天井１０１には、図９中に矢符にて示す如く、当接面に直交する方向、図において斜め下方向の力が作用している。天井の板厚の増加に応じて板ばね１の弾性変形するたわみ量が大となるから、板ばね１の弾性変形に応じて生じる付勢力は、天井の板厚の増加に従って増大し、９ｍｍ板厚の天井１００に設置した場合と比較して、１２ｍｍ板厚の天井１０１に作用する付勢力は大きくなり、被装着部である天井１０１の設置面に対して垂直方向である下方向の分力を十分に含む押圧力が作用することになる。
【００５７】
このように、９ｍｍ板厚の天井１００に設置した場合と同様に、１２ｍｍ板厚の天井１０１に十分な下方向の分力を含む押圧力が作用するから、照明装置１０を天井１０１に保持することができる。そして照明装置１０に下方向の力が作用したのち該力が解除されたときも同様に、板ばね１の弾性変形に応じて生じる付勢力により下方向の分力を含む押圧力が天井１０１の上面１０１ｂに作用するから、照明装置１０は元の位置に復帰することができる。
【００５８】
図１０は、２５ｍｍ板厚の天井に照明装置１０を設置した状態を示す部分拡大断面図である。照明装置１０は、板ばね１，１…の腕部１７の側を照明装置本体１０ａの側に押し付けた状態にて、天井１０２に設けられた取付孔１０２ａに下側から挿入し、板ばね１，１…から手を離し照明装置本体１０ａをさらに押し込むことにより、図１０に示す如く、取付孔１０２ａにて天井１０２に固定される。図１０においては、板ばね１の第２の押圧部１６が第２の押圧部１６の円弧の中央よりも腕部１７寄りの位置にて取付孔１０２ａの上縁部に斜め上側から当接しており、天井１０２には、図１０中に矢符にて示す如く、当接面に直交する方向、図において斜め下方向の力が作用している。天井の板厚の増加に応じて板ばね１の弾性変形するたわみ量が大となるから、板ばね１の弾性変形に応じて生じる付勢力は、天井の板厚の増加に従って増大し、９ｍｍ板厚の天井１００に設置した場合と比較して、２５ｍｍ板厚の天井１０２に作用する付勢力はさらに大きくなる。そして凸部１５は、天井１０２の取付孔１０２ａの周面と離隔しており、板ばね１の弾性変形に応じて生じる付勢力は第２の押圧部１６のみにより天井１０２に作用するから、被装着部である天井１０２の設置面に対して垂直方向である下方向の分力を含む十分な押圧力が作用することになる。
【００５９】
このように、２５ｍｍ板厚の天井１０２に十分な下方向の分力を含む押圧力が作用するから、照明装置１０を天井１０２に保持することができる。そして照明装置１０に下方向の力が作用したのち該力が解除されたときも同様に、板ばね１の弾性変形に応じて生じる付勢力により下方向の分力を含む押圧力が天井１０２の上面１０２ｂに作用するから、照明装置１０は元の位置に復帰することができる。
【００６０】
以上のように、Ｖ字状をなす板ばね１の一側に照明装置本体１０ａに取付けられる取付部１１を、他側に取付部１１の側に凸状に湾曲し、板ばね１の長手方向に沿う断面形状が円弧状である複数の押圧部である第１の押圧部１４及び第２の押圧部１６を夫々設けているから、天井の取付孔に照明装置本体１０ａを設置したときに、板厚の異なる天井に対して第１の押圧部１４と第２の押圧部１６の何れか一つが前記取付穴の上縁部に上側から当接されることになるから、板厚の異なる天井に対して十分な下方向の押圧力を生ぜしめることができ、十分な保持力にて照明装置１０を天井に固定することができる。
【００６１】
板ばね１の第１の押圧部１４及び第２の押圧部１６を屈曲部１３からの遠近に応じて大小となる曲率半径にて湾曲させており、薄い板厚の天井１００，１０１に対しては小さい曲率半径の第１の押圧部１４が、厚い板厚の天井１０２に対しては大きい曲率半径の第２の押圧部１６が当接することになり、前述した如く、押圧部と天井とのなす角度を、押圧部が斜め上側から天井に当接するように適切に保つことができ、板厚の異なる天井に対して十分な下方向の押圧力を生ぜしめることができる。
【００６２】
板ばね１の第１の押圧部１４と第２の押圧部１６間に、第１の押圧部１４及び第２の押圧部１６と逆側に湾曲している凸部１５を設けており、連続して押圧部を設ける場合と比較して、板ばね１の一側と他側とがなす角度を小さく抑えることができ、照明装置１０を天井の取付穴に設置するときに、板ばねの一側と他側とを接近させるべく板ばねに大きな力を加える必要がなく、取付作業が容易となる。また、照明装置１０を天井に設置したときに、天井の取付孔の周面と離隔するように板ばね１に凸部１５を設けているから、板ばね１の弾性変形に応じて生じる付勢力を押圧部のみにより天井に作用させることができ、天井に十分な下方向の分力を含む押圧力を作用させることができる。
【００６３】
なお、本実施の形態において、照明装置本体１０ａに３枚の板ばね１，１…を取付けているが、これに限定されない。板ばねの数は、保持すべき照明装置本体１０ａの重量、寸法に応じて適切に選定される。
【００６４】
また、本実施の形態においては、照明装置本体１０ａの外部に電源部を設けているが、照明装置本体１０ａの内部に電源部を設けてもよいことは言うまでもない。
【００６５】
（実施の形態２）
図１１は、実施の形態２に係る板ばねの外観斜視図である。板ばね１ａの取付部１１及び延設部１２の縁部には、取付部１１及び延設部１２に直交する方向に、第１の押圧部１４及び第２の押圧部１６の側に延びる補強板１１ｂ，１１ｂが取付部１１及び延設部１２の長手方向の略全長に亘って設けてある。なお、補強板１１ｂ，１１ｂは、取付部１１及び延設部１２に連設させて一体的に加工して、折り返すことにより形成してもよいし、別体に形成して取付けてもよい。その他の構成は、図１に示す実施の形態１と同様であるため、対応する構成部材に図１と同一の参照符号を付して、その構成の詳細な説明を省略する。
【００６６】
このように取付部１１及び延設部１２の縁部に補強板１１ｂ，１１ｂを設けることにより、取付部１１及び延設部１２の剛性を高くすることができ、照明装置を天井に設置する際に板ばね１ａの腕部１７の側を照明装置本体の側に押し付けたときに、取付部１１及び延設部１２が弾性変形しにくくなり、照明装置１０の天井への設置作業が容易となる。また、板ばね１ａは、ＬＥＤモジュール３，３…等の熱源からの熱を放散する放熱器２にネジにより密着して取付けてあり、補強板１１ｂ，１１ｂの面積分だけ放熱器２の放熱面積が実質的に増加することになるから、照明装置１０の放熱性を向上することができる。
【００６７】
（実施の形態３）
図１２は、実施の形態３に係る板ばねの外観斜視図である。板ばね１ｂの一端には、矩形板状の取付部１１ｃが設けてあり、取付部１１ｃには、取付部１１ｃの長手方向に沿って凹部１１ｄ，１１ｄが適長離隔して設けてある。また取付部１１ｃの縁部には、取付部１１に直交する方向に第１の押圧部１４及び第２の押圧部１６の逆側に延設され、延設端部から互いに近接する方向に折り返されてなる補強板１１ｅ，１１ｅが設けてある。さらに腕部１７及び抜止部１８の接合部には、凹部１８ａ，１８ａが適長離隔して設けてある。その他の構成は、図１に示す実施の形態１と同様であるため、対応する構成部材に図１と同一の参照符号を付して、その構成の詳細な説明を省略する。
【００６８】
このように取付部１１ｃに凹部１１ｄ，１１ｄ及び補強板１１ｅ，１１ｅを設けることにより、取付部１１ｃの剛性を高くすることができ、照明装置を天井に設置する際に板ばね１ｂの腕部１７の側を照明装置本体の側に押し付けたときに、取付部１１ｃが弾性変形しにくくなり、照明装置１０の天井への設置作業が容易となる。腕部１７及び抜止部１８の接合部に凹部１８ａ，１８ａを設けることにより、前記接合部の剛性を高くすることができ、板ばね１ｂの第１の押圧部１４及び第２の押圧部１６が天井に当接しない状態にて照明装置１０が下に移動したときに、抜止部１８に加わる照明装置本体１０ａの荷重を保持することが容易となる。また、補強板１１ｅは、取り付け部１１ｃに折り曲げ部を設けないようにするためのスペーサとして作用している。このような形状にすることにより、凹部１１ｄの形成が容易になる。
【００６９】
（実施の形態４）
図１３は、実施の形態４に係る板ばねの外観斜視図である。図１３（ａ）は、梱包時の状態を、図１３（ｂ）は、照明装置を天井に設置したときの状態を夫々示している。板ばね１ｃの一端に延設された延設部は、湾曲する２つの腕部１２ａ，１２ｂを接合してなり、所謂皿ばねの構造を有している。図１４は、皿ばね部分の製作説明図である。図１４（ａ）に示すように、ステンレス鋼の板をＹ字状に加工する。取付部１１に連設され、他方の腕部１２ｂ側に凸状に湾曲する腕部１２ａと、該腕部１２ａと逆側に湾曲する腕部１２ｂとを、腕部１２ｂの先端から腕部１２ａの側に延設された延設部１２ｃを取付部１１の腕部１２ａ側の部分に重ね合せるように接近させ、図１４（ｂ）に示すように、スポット溶接１２ｄ，１２ｄにより固定する。なお、固定方法はスポット溶接に限定されず、リベットにより締結してもよい。
【００７０】
第２の押圧部１６に連設された腕部も同様に所謂皿ばねの構造を有しており、湾曲する２つの腕部１７ａ，１７ｂを一方の腕部１７ｂから延設された延設部１７ｃにてスポット溶接１７ｄ，１７ｄにより接合している。その他の構成は、図１に示す実施の形態１と同様であるため、対応する構成部材に図１と同一の参照符号を付して、その構成の詳細な説明を省略する。
【００７１】
このように構成された板ばね１ｃは、梱包時には、板ばね１ｃの一側及び他側に互いに近接する方向に力を加え、図１３（ａ）に示すように、腕部１２ａ，１２ｂ及び腕部１７ａ，１７ｂを外向きに凸状となるように湾曲させることにより、板ばね１ｃをコンパクトにすることができると共に、梱包が容易となり梱包の作業効率を向上することができる。なお、設置時には、板ばね１ｃの一側及び他側に互いに離反する方向に力を加えることにより、図１３（ｂ）に示すように、Ｖ字状の形状に容易に戻すことができる。
【００７２】
以上の実施の形態２から４に係る板ばねは、実施の形態１に係る板ばね１と同様に、図７に示すような配置にて照明装置本体１０ａに取付けられる。なお、板ばねの配置は、図７に示す配置に限定されない。図１５は、板ばねの他の配置例を示している。
【００７３】
取付部２４，２４…は、複数の放熱板２２，２２…に夫々連設されて一体的に構成されている。取付部２４，２４…は、外側の放熱板２２が複数の取付部２４のうちの一つを兼ねるように、周方向に３等配をなして伝熱板２１に立設してある。この構成により、取付部２４，２４…の剛性を高く保ちつつ、放熱器２に流入する空気の流れをより阻害しないようにすることができ、放熱性を向上することができる。
【００７４】
なお、以上の実施の形態においては、照明装置が設置される天井の板厚範囲として６〜９ｍｍと２０〜２５ｍｍの２パターンを想定して、第１の押圧部１４の曲率半径Ｒ１を６ｍｍに、第２の押圧部１６の曲率半径Ｒ２を２３ｍｍに夫々設定してあるが、これらの曲率半径Ｒ１，Ｒ２は一例であり、この数値に限定されない。これら第１の押圧部１４及び第２の押圧部１６の曲率半径Ｒ１及びＲ２は、第１の押圧部１４と第２の押圧部１６のどちらか一方のみが天井に上側から当接するように、設置対象として想定している天井の板厚に応じて決定してあり、天井の板厚、照明装置本体と取付孔の周面との間隔、照明装置本体の重量及び板ばねの数等に応じて適宜設定される。
【００７５】
また、以上の実施の形態においては、板ばねに第１の押圧部１４及び第２の押圧部１６からなる２つの押圧部を設けているが、これに限定されず、３以上の押圧部を設けてもよい。
【００７６】
また、以上の実施の形態においては、装着部材として板ばねを例示して説明したが、板状に限定されず、複数の押圧部を有する線状の付勢力を有する装着部材であってもよい。例えば、金属製のワイヤーを折り曲げて形成された装着部材であってもよい。
【００７７】
また、以上の実施の形態においては、光源として複数のＬＥＤ素子が実装されてなるＬＥＤモジュール３，３…を用いているが、これに限定されず、高輝度のＬＥＤチップ、ＥＬ（Ｅｌｅｃｔｒｏ  Ｌｕｍｉｎｅｓｃｅｎｃｅ）、蛍光灯、電球等を用いてもよい。
【００７８】
また、以上の実施の形態おいては、ダウンライトに板ばねを取付けた例について述べたが、ダウンライトに限定されず、他のタイプの照明装置、照明装置以外の天井に設置される機器にも本発明に係る板ばねは適用可能であり、その他、特許請求の範囲に記載した事項の範囲内において種々変更した形態にて実施することが可能であることは言うまでもない。
【図面の簡単な説明】
【００７９】
【図１】本発明の実施の形態１に係る板ばねの外観斜視図である。
【図２】板ばねの模式的正面図である。
【図３】図２の III−III 矢視から見た板ばねの模式的側面図である。
【図４】実施の形態１に係る板ばねを備える照明装置の外観斜視図である。
【図５】照明装置を側面から見た外観図である。
【図６】照明装置の模式的側面図である。
【図７】図６の VII−VII 矢視から見た照明装置の模式図である。
【図８】９ｍｍの板厚の天井に照明装置を設置した状態を示す部分拡大断面図である。
【図９】１２ｍｍ板厚の天井に照明装置を設置した状態を示す部分拡大断面図である。
【図１０】２５ｍｍ板厚の天井に照明装置を設置した状態を示す部分拡大断面図である。
【図１１】実施の形態２に係る板ばねの外観斜視図である。
【図１２】実施の形態３に係る板ばねの外観斜視図である。
【図１３】実施の形態４に係る板ばねの外観斜視図である。
【図１４】皿ばね部分の製作説明図である。
【図１５】板ばねの他の配置例を示している。
【符号の説明】
【００８０】
１，１ａ，１ｂ，１ｃ  板ばね（装着部材）
１３  屈曲部
１４  第１の押圧部（押圧部）
１５  凸部
１６  第２の押圧部（押圧部）
２  放熱器（放熱部）
１０ａ  照明装置本体
【図１】
0004558053.tif 000002
【図２】
0004558053.tif 000003
【図３】
0004558053.tif 000004
【図４】
0004558053.tif 000005
【図５】
0004558053.tif 000006
【図６】
0004558053.tif 000007
【図７】
0004558053.tif 000008
【図８】
0004558053.tif 000009
【図９】
0004558053.tif 000010
【図１０】
0004558053.tif 000011
【図１１】
0004558053.tif 000012
【図１２】
0004558053.tif 000013
【図１３】
0004558053.tif 000014
【図１４】
0004558053.tif 000015
【図１５】
0004558053.tif 000016